(57)【要約】【課題】低コスト化を実現した情報入力装置を提供する。【解決手段】情報入力装置１は、電子ペン６によってノート５に入力される情報を取得可能である。情報入力装置１は、筐体４と取付部５０とを備える。筐体４は、検出部を収容する。検出部は、ユーザがノート５に筆記する電子ペン６の位置を、検出可能である。取付部５０は、ノート５が取り付け可能な部材であり、筐体４に対して左右方向に移動可能に連結する。ノート５が取り付けられた取付部５０が、左右方向に移動することで、ノート５の検出部に対する位置が相対的に変化する。これにより、検出部は、ノート５の右部で筆記された情報と、ノート５の左部で筆記された情報との、いずれもの情報をも取得できる。【選択図】図２
2017142703.tif 000002
【特許請求の範囲】
【請求項１】
一対の表紙と、前記一対の表紙の間に重ねて配置された複数枚の用紙とが、夫々の端部の一部で綴じられた冊子状の記録媒体に、筆記具によって入力される情報を取得可能な情報入力装置であって、
近接する前記筆記具の位置を検出可能な検出手段と、
前記検出手段を収容し、前記検出手段から離隔する第一方向を向く第一面を有する筐体と、
前記第一面に設けられ、前記記録媒体を、前記筐体と連結させた状態のまま、前記第一方向と交差する所定方向に、前記検出手段に対して相対変位可能に支持する支持手段と
を備えたことを特徴とする情報入力装置。
【請求項２】
前記所定方向は、前記記録媒体が前記検出手段に対して相対的に直線移動する方向であり、
前記支持手段は、
前記記録媒体が取り付けられる取付部、
前記第一面に固定され、前記取付部を、第一筆記位置と第二筆記位置との間で、前記所定方向に移動可能に支持する支持部であって、前記第一筆記位置は、前記取付部が前記一対の表紙のいずれか一方を、前記第一方向から前記第一面に対向させる位置であり、前記第二筆記位置は、前記取付部が前記一対の表紙のいずれか他方を、前記第一方向から前記第一面に対向させる位置である支持部と
を備えたことを特徴とする請求項１に記載の情報入力装置。
【請求項３】
前記取付部は、前記第一方向と直交して延びる板状であることを特徴とする請求項２に記載の情報入力装置。
【請求項４】
前記取付部は、
前記第一方向と直交して延びる板状であって、前記第一方向とは反対方向を向く面である第一延設面を有する第一板状部と、
前記第一板状部の前記所定方向における一端部に、回転可能に設けられた板状であって、前記第一板状部に対して前記第一方向から対向する位置である第一位置と、前記第一板状部と前記所定方向に並ぶ位置である第二位置との間を回転可能であり、前記第一位置から前記第二位置に向かう方向を向く面である第二延設面を有する第二板状部を備え、
前記支持部は、
前記第一面に設けられ、前記所定方向に延びる延設部と、
前記第一延設面に設けられ、前記所定方向に直線状に延び、前記延設部に対して前記所定方向に摺動可能な第一摺動部と、
前記第二延設面に設けられ、前記第二板状部の回転中心を基準とした径方向に直線状に延び、前記第二板状部が前記第二位置にある場合に、前記第一摺動部と前記所定方向に並び且つ、前記延設部に対して前記所定方向に摺動可能な第二摺動部と
を備えたことを特徴とする請求項２又は３に記載の情報入力装置。
【請求項５】
前記取付部は、前記記録媒体の前記取付部に対する取り付け位置を位置決めする位置決め手段を備えたことを特徴とする請求項２から４のいずれかに記載の情報入力装置。
【請求項６】
前記取付部は、
前記第一方向と直交して延びる板状であって、前記第一方向を向く面である第一所定面と、前記第一方向とは反対方向を向く面である第一延設面とを有する第一板状部と、
前記第一板状部の前記所定方向における一端部に、回転可能に設けられた板状であって、前記第一板状部に対して前記第一方向から対向する位置である第一位置と、前記第一板状部と前記所定方向に並ぶ位置である第二位置との間を回転可能であり、前記第二位置から前記第一位置へ向かう方向を向く面である第二所定面と、前記第一位置から前記第二位置に向かう方向を向く面である第二延設面とを有する第二板状部と、
前記記録媒体を所定の位置で位置決めする位置決め手段を備え、
前記支持部は、
前記第一面に設けられ、前記所定方向に延びる延設部と、
前記第一延設面に設けられ、前記所定方向に直線状に延び、前記支持部に対して前記所定方向に摺動可能な第一摺動部と、
前記第二延設面に設けられ、前記第二板状部の回転中心を基準とした径方向に直線状に延び、前記第二板状部が前記第二位置にある場合に、前記第一摺動部と前記所定方向に並ぶ第二摺動部と
を備え、
前記位置決め手段は、前記第一所定面と前記第二所定面のそれぞれに設けられた、前記記録媒体を収容可能な凹部であることを特徴とする請求項２又は３に記載の情報入力装置。
【請求項７】
前記取付部は、
前記第一面に設けられ、前記所定方向に延びる第一取付部であって、前記一対の表紙のいずれか一方が取り付け可能な、前記第一方向を向く面である第一取付面を有する第一取付部と、
前記第一取付部の一端部に回転可能に連結された直線状に延びる第二取付部であって、前記第一取付部に対して前記第一方向から対向する位置である対向位置と、前記第一取付部と前記所定方向に並ぶ位置である作動位置との間を回転可能であり、前記一対の表紙のいずれか他方が取り付け可能な、前記作動位置から前記対向位置へ向かう方向を向く面である第二取付面を有する第二取付部と
を備えたことを特徴とする請求項２に記載の情報入力装置。
【請求項８】
前記支持手段は、
前記取付部が、前記第一筆記位置よりも前記第二筆記位置とは反対側へ移動するのを規制する第一規制部と、
前記取付部が、前記第二筆記位置よりも前記第一筆記位置とは反対側へ移動するのを規制する第二規制部と
を備えたことを特徴とする請求項２から７のいずれかに記載の情報入力装置。
【請求項９】
前記筐体は、前記検出手段に対して前記第一面とは反対側に配置される面であって、前記検出手段から離隔し且つ前記第一方向とは反対の第二方向を向く第二面を有し、
前記検出手段は、前記第一面に近接する前記筆記具の位置と、前記第二面に近接する前記筆記具の位置とを検出可能であり、
前記支持手段は、前記一対の表紙のいずれか一方と、前記複数枚の用紙の少なくとも一枚とが、夫々、前記第一面よりも前記第一方向にある第一対向位置と、前記第二面によりも前記第二方向にある第二対向位置との間を回転可能となるように、前記記録媒体を支持する記録媒体取付部を備えたことを特徴とする請求項１に記載の情報入力装置。
【発明の詳細な説明】
【技術分野】
【０００１】
本発明は、情報入力装置に関する。
【背景技術】
【０００２】
従来、ノート等の記録媒体に筆記具によって入力される情報を取得可能な情報入力装置が知られている。例えば、特許文献１に開示の情報入力装置では、二つ折り可能な外装カバーに、二つの板状の検出装置が組み付けられる。二つの検出装置には、電子ペンによって筆記される記録媒体が装着される。各検出装置には、電子ペンの近接位置を検出するためのデジタイザ基板が内部に設けられる。
【先行技術文献】
【特許文献】
【０００３】
【特許文献１】特開２０１４−２１１７７２号公報
【発明の概要】
【発明が解決しようとする課題】
【０００４】
しかしながら、上記情報入力装置は、デジタイザ基板を二つ備えるため、情報入力装置のコストが増大する虞があった。
【０００５】
本発明の目的は、低コスト化を実現した情報入力装置を提供することである。
【課題を解決するための手段】
【０００６】
本発明に係る情報入力装置は、一対の表紙と、前記一対の表紙の間に重ねて配置された複数枚の用紙とが、夫々の端部の一部で綴じられた冊子状の記録媒体に、筆記具によって入力される情報を取得可能な情報入力装置であって、近接する前記筆記具の位置を検出可能な検出手段と、前記検出手段を収容し、前記検出手段から離隔する第一方向を向く第一面を有する筐体と、前記第一面に設けられ、前記記録媒体を、前記筐体と連結させた状態のまま、前記第一方向と交差する所定方向に、前記検出手段に対して相対変位可能に支持する支持手段とを備えたことを特徴とする。
【０００７】
上記構成によれば、ユーザは、記録媒体の検出手段に対する相対位置を変位させることができる。従って、ユーザが一対の表紙のうち一方側で記録媒体に入力する場合と、ユーザが一対の表紙のうち他方側で記録媒体に入力する場合とのそれぞれの場合に対応する、複数の検出手段を、情報入力装置は備える必要がない。従って、情報入力装置は、検出手段の個数を低減できるので、低コスト化を実現できる。
【図面の簡単な説明】
【０００８】
【図１】ノート５が装着される前の情報入力装置１の斜視図である。
【図２】取付部５０が第一筆記位置にある情報入力装置１の斜視図である。
【図３】図２で示されるＡ−Ａ線の矢視方向における情報入力装置１の断面図である。
【図４】図２で示されるＢ−Ｂ線の矢視方向における情報入力装置１の断面図である。
【図５】図２で示されるＣ−Ｃ線の矢視方向における情報入力装置１の断面図である。
【図６】取付部５０が第二筆記位置にある情報入力装置１の斜視図である。
【図７】第二実施形態に係る情報入力装置１０１の斜視図である。
【図８】第三実施形態に係る情報入力装置２０１の斜視図である。
【図９】可動レール２０７が第一筆記位置にある情報入力装置２０１の斜視図である。
【図１０】可動レール２０７が第二筆記位置にある情報入力装置２０１の斜視図である。
【図１１】第四実施形態に係る情報入力装置３０１の底面図である。
【図１２】情報入力装置３０１の別の底面図である。
【発明を実施するための形態】
【０００９】
以下、本発明の第一実施形態である情報入力装置１について、図面を参照して説明する。以下の説明では、図１の上側、下側、左上側、右下側、右上側、左下側を、夫々、情報入力装置１の前側、後側、左側、右側、上側、下側と定義する。説明の便宜上、情報入力装置１に装着されるノート５の方向は、ノート５が情報入力装置１に装着された状態を基準に、情報入力装置１の方向に倣って定義する。
【００１０】
図１に示す情報入力装置１は、ユーザが携行可能なタブレット型の手書き入力装置である。情報入力装置１には、冊子状の記録媒体の一例であるノート５が装着される。ユーザは、電子ペン６を用いてノート５に情報を記入する。情報入力装置１は、後述の検出部２（図３参照）を用いて、ノート５に記入された情報を取得できる。電子ペン６は、ノート５にインクで情報（文字、記号、図形、及び数字等）を記入可能、且つ、記入された情報を検出部２に入力可能な筆記具である。電子ペン６は、内部に、周知の共振（同調）回路を構成する可変容量コンデンサ、コイル等（図示略）を備える。検出部２は、ユーザがノート５に筆記する電子ペン６の位置を、公知の電磁誘導方式によって検出可能である。
【００１１】
ノート５は、一対の表紙５Ｌ，５Ｒ、および複数の用紙５Ｐを備える。一対の表紙５Ｌ，５Ｒは、夫々、ノート５の左右の表紙である。複数の用紙５Ｐは、一対の表紙５Ｌ，５Ｒの間に重ねて配置される。表紙５Ｌ，５Ｒと複数の用紙５Ｐとの夫々の縁部は綴じられている。
【００１２】
図１〜図６を参照し、情報入力装置１の構成について説明する。図１〜図３に示すように、情報入力装置１は、筐体４、検出部２（図３参照）、及び取付部５０を備える。筐体４は、上下方向と左右方向とに延びる箱状体であり、検出部２を収容する。
【００１３】
図３に示すように、筐体４は、第一面４Ａを含む。本例の第一面４Ａは、筐体４の前端面であり、平面状に形成される。即ち、第一面４Ａは、検出部２から離隔する前方向を向く平面である。第一面４Ａには、二つの延設部７が設けられる。本例の延設部７は、第一面４Ａから前方へ突出する突部であり、左右方向に直線状に延びる。二つの延設部７は、上下方向に間隔を空けて並ぶ。
【００１４】
詳細な図示は省略するが、筐体４の後壁部の一部は、筐体４の他の部位に対して着脱可能な蓋部を構成する。蓋部が、筐体４の他の部位から取り外されることによって、筐体４の内部は、後方に向けて開放される。
【００１５】
検出部２（図３参照）は、デジタイザ基板（図示略）、制御基板（図示略）、及びメイン基板（図示略）等を含む。デジタイザ基板は、電子ペン６の近接位置を検出するための基板である。デジタイザ基板には、Ｘ軸方向（具体的には左右方向）およびＹ軸方向（具体的には上下方向）の各々に細長いループコイルが多数配列されている。デジタイザ基板は、制御基板と電気的に接続する。制御基板は、デジタイザ基板に電流を流すように構成される。メイン基板は、制御基板に電気的に接続する。メイン基板には、情報入力装置１の制御を司るＣＰＵ（図示略）が搭載される。メイン基板は、電源スイッチ、発光素子、通信部など、各種スイッチ、コネクタ等の部品（図示略）を備える。メイン基板のＣＰＵは、ＰＣ等の外部装置（図示略）と無線や有線による通信が可能である。
【００１６】
制御基板は、デジタイザ基板のループコイルの一本ずつに特定周波数の電流（励磁用送信電流）を流して磁界を発生させる。その結果、デジタイザ基板に近接する電子ペン６の共振回路は、誘導磁界を生ずる。誘導磁界によってループコイルに電流（信号電流）が流れる。制御基板は、ループコイルに流れる信号電流を検出する。メイン基板のＣＰＵは、制御基板が検出した信号電流に基づいて電子ペン６の位置座標を経時的に求める。ＣＰＵは、位置座標に基づいて電子ペン６の軌跡を示すストロークデータを生成する。ＣＰＵは、ストロークデータを、情報入力装置１に接続された外部装置（ＰＣ等）に対して出力する。
【００１７】
図１、図２に示される取付部５０は、ノート５が取り付けられる部材であり、第一面４Ａに連結する。取付部５０は、筐体４に対して、左右方向に相対移動可能である（図２、図６参照）。取付部５０は、第一板状部５１と、第二板状部５２とを備える。第一板状部５１は、上下方向と左右方向との夫々の方向に延びる板状である。換言すると、第一板状部５１は、前後方向と直交する板状である。
【００１８】
第一板状部５１は、第一支持面５１Ａと、第一延設面５１Ｂとを含む。第一支持面５１Ａは、第一板状部５１の前端面であり、平面状に形成される。即ち、第一支持面５１Ａは、前方向を向く平面である。第一支持面５１Ａには、後方へ凹む矩形状の凹部である収容部４１が設けられる。収容部４１には、ノート５の表紙５Ｒと、ノート５の複数枚の用紙５Ｐとが収容可能である。収容部４１に収容される表紙５Ｒと用紙５Ｐは、収容部４１の右部、上部、及び下部によって、左右方向及び上下方向の夫々の方向に変位するのを規制される。収容部４１の左下部と左上部の夫々には、上下方向に沿う円形状の支持穴（図示略）が設けられる。
【００１９】
第一延設面５１Ｂは、第一板状部５１の後端面であり、平面状に形成される。即ち、第一延設面５１Ｂは、後方を向く平面である。第一延設面５１Ｂには、二つの第一摺動部５５（図３参照）が設けられる。本例の第一摺動部５５は、第一延設面５１Ｂから前方に凹む溝部であり、且つ左右方向に直線状に延びる。第一摺動部５５の左端は、第一延設面５１Ｂの左端に接続し、且つ左方に向けて開口する。二つの第一摺動部５５は、夫々、二つの延設部７と同じ上下方向位置に配置される。図３では、各第一摺動部５５に、各延設部７が左右方向に摺動可能に進入している。
【００２０】
第二板状部５２は、略矩形状に形成された板状部材である。第二板状部５２は、上下方向と左右方向において、第一板状部５１の収容部４１よりも僅かに小さな形状を有する。第二板状部５２の上面と下面の夫々の一端部には、第二板状部５２から上下方向に沿って突出する二つの支持ピン５３が設けられる。以下、支持ピン５３の軸線を、「軸線Ｑ」と称す。第二板状部５２の支持ピン５３は、夫々、第一板状部５１の上述した支持穴（図示略）に回転可能に挿入される。
【００２１】
これにより、第二板状部５２は、軸線Ｑを中心に、第一位置（図１参照）と、第二位置（図２参照）との間を、回転可能である。第一位置は、前方から第一板状部５１に対向する第二板状部５２の回転位置である。第一位置にある第二板状部５２は、第一板状部５１の収容部４１に収容される。第二位置は、第一板状部５１の左方に配置される第二板状部５２の回転位置である。第二板状部５２は、第一位置又は第二位置にある場合に、前後方向と直交して延びる。以下、第一位置から第二位置に向かう方向を「閉方向」と称し、閉方向とは反対方向を「開方向」と称す。閉方向は矢印Ｗ１が向く方向であり、開方向は矢印Ｗ２が向く方向である。
【００２２】
第二板状部５２は、第二支持面５２Ａと、第二延設面５２Ｂを有する。第二支持面５２Ａは、第二板状部５２の閉方向の端面であり、平面状に形成される。即ち、第二支持面５２Ａは、閉方向を向く平面である。第二板状部５２が第二位置にある場合、第二支持面５２Ａは、第一板状部５１の第一支持面５１Ａと略同じ前後方向位置に配置される。第二支持面５２Ａには、開方向へ凹む矩形状の凹部である収容部４２が設けられる。収容部４２の上下方向の長さは、ノート５の上下方向の長さよりも僅かに長い。収容部４２には、ノート５の表紙５Ｌと、ノート５の複数枚の用紙５Ｐとが収容可能である。収容部４２に収容される表紙５Ｒと用紙５Ｐは、収容部４２の上部と下部とによって、上下方向における変位を規制される。また、収容部４２に収容される表紙５Ｒと用紙５Ｐは、収容部４２のうち軸線Ｑとは反対側の部分によって、軸線Ｑから離間する方向への変位を規制される。
【００２３】
図４に示すように、第二延設面５２Ｂは、第二板状部５２の開方向の端面であり、平面状に形成される。即ち、第二延設面５２Ｂは、開方向を向く平面である。第二延設面５２Ｂには、二つの第二摺動部５６が設けられる。本例の第二摺動部５６は、第二延設面５２Ｂから閉方向に凹む溝部であり、直線状に延びる。第二摺動部５６が延びる方向は、軸線Ｑを基準とした径方向と平行な方向である。二つの第二摺動部５６は、夫々、二つの第一摺動部５５と同じ上下方向位置に配置される。第二摺動部５６の軸線Ｑ側（図４では紙面奥側）の端は、第二延設面５２Ｂの軸線Ｑ側の端に接続し、且つ軸線Ｑ側に向けて開口する。第二摺動部５６は、第一摺動部５５と同じ大きさを有する。
【００２４】
第二板状部５２が第二位置（図２参照）にある場合、第二延設面５２Ｂは、第一板状部５１の第一延設面５１Ｂと略面一になり、第二摺動部５６の軸線Ｑ側の端（即ち、右端）は、第一摺動部５５の左端に接続する。この場合、各第二摺動部５６と各第一摺動部５５は、筐体４の各延設部７が摺動可能な単一の溝部を形成する。
【００２５】
第二支持面５２Ａは、第二板状部５２の閉方向を向く端面であり、平面状に形成される。即ち、第二支持面５２Ａは、閉方向を向く平面である。第二支持面５２Ａには、ノート５の表紙５Ｌが収容される略矩形状の凹部が形成される。
【００２６】
図５に示すように、第一摺動部５５の右端部は第一規制部８１であり、第二摺動部５６の軸線Ｑから離隔する方向の端部は第二規制部８２である。第一規制部８１には、第一センサ９１が設けられ、第二規制部８２の軸線Ｑとは反対側の端部には、第二センサ９２が設けられる。本例の第一センサ９１と第二センサ９２は、いずれも、延設部７が接触する接触式のセンサであり、メイン基板（図示略）のＣＰＵ（図示略）と電気的に接続する。第一センサ９１と第二センサ９２は、いずれも、延設部７と接触する場合にＣＰＵにＯＮ信号を出力し、延設部７と接触しない場合にＣＰＵにＯＦＦ信号を出力する。
【００２７】
第二板状部５２が第二位置にある場合において、取付部５０は、第一筆記位置（図２参照）と、第二筆記位置（図６参照）との間を移動可能である。第一筆記位置は、第一摺動部５５の第一センサ９１が延設部７に接触する取付部５０の左右方向位置である。第二筆記位置は、第二摺動部５６の第二センサ９２が延設部７に接触する取付部５０の左右方向位置である。取付部５０が、第一筆記位置にある場合、収容部４１が、筐体４の第一面４Ａの前方にある。この場合、検出部２は、収容部４１が収容した用紙５Ｐに筆記される電子ペン６の位置を、検出可能である。取付部５０が第二筆記位置にある場合、収容部４２が、筐体４の第一面４Ａの前方にある。この場合、検出部２は、収容部４２が収容した用紙５Ｐに筆記される電子ペン６の位置を、検出可能である。
【００２８】
尚、第一筆記位置にある取付部５０は、第一センサ９１を介した第一規制部８１によって、筐体４に対して左方に相対移動するのを規制される。換言すると、第一規制部８１は、取付部５０が第一筆記位置よりも第二筆記位置とは反対側へ移動するのを規制する。同様に、第二筆記位置にある取付部５０は、第二センサ９２を介した第二規制部８２によって、筐体４に対して右方に相対移動するのを規制される。換言すると、第二規制部８２は、取付部５０が第二筆記位置よりも第一筆記位置とは反対側へ移動するのを規制する。
【００２９】
図１、図２、図５、及び図６を参照し、情報入力装置１への情報の入力方法を説明する。ノート５は情報入力装置１から取り外されており、第二板状部５２は第一位置にあり、取付部５０は第一筆記位置にある（図１参照）。この場合、第一センサ９１はＯＮ信号を出力しており、第二センサ９２はＯＦＦ信号を出力している。
【００３０】
ユーザは、第二板状部５２を第一位置から第二位置まで回転する。収容部４１，４２は、上方へ開放される。ユーザは、ノート５の表紙５Ｒを収容部４１に収容し、ノート５の表紙５Ｌを収容部４２に収容する。その後、ユーザは、複数枚の用紙５Ｐの一部を収容部４１に収容し、ノート５の残りの用紙５Ｐを収容部４２に収容する。以下、収容部４１に収容された最前位にある用紙５Ｐを、「右側の用紙５Ｐ」と称し、収容部４２に収容された最前位にある用紙５Ｐを、「左側の用紙５Ｐ」と称す。
【００３１】
ユーザは、右側の用紙５Ｐに電子ペン６を用いて所定の情報を記入する。検出部２が、電子ペン６の位置を検出することによって、右側の用紙５Ｐに記入された情報は、情報入力装置１に入力される。その後、ユーザは、取付部５０を第一筆記位置（図２参照）から第二筆記位置（図６参照）まで移動させる。延設部７は、第一摺動部５５と第二摺動部５６に対して順に摺動する。ノート５は、取付部５０と一体的に左右方向に移動する。換言すると、ノート５は、筐体４に連結した状態のまま、検出部２に対して左右方向に相対移動する。
【００３２】
取付部５０が、第一筆記位置から第二筆記位置まで移動することで、第一センサ９１は、ＯＮ信号に代えてＯＦＦ信号を出力し、第二センサ９２は、ＯＦＦ信号に代えてＯＮ信号を出力する。ユーザは、左側の用紙５Ｐに、電子ペン６を用いて所定の情報を記入する。検出部２が、電子ペン６の位置を検出することによって、左側の用紙５Ｐに記入された情報は、情報入力装置１に入力される。
【００３３】
なお、取付部５０が第一筆記位置と第二筆記位置との間にある状態で、ユーザがノート５に情報を入力する場合が考えられる。この場合、情報入力装置１は、右側の用紙５Ｐと左側の用紙５Ｐのいずれに情報が筆記さたか判定できない可能性がある。本例の情報入力装置１では、取付部５０が、第一筆記位置と第二筆記位置との間にある場合、第一センサ９１、第二センサ９２は、いずれも、ＯＦＦ信号を出力する。メイン基板のＣＰＵは、第一センサ９１と第二センサ９２の夫々のＯＦＦ信号を検出することで、取付部５０が第一筆記位置と第二筆記位置のいずれにも配置されていないと判断する。この場合、ＣＰＵは、検出部２による情報の検出を停止する。これにより、取付部５０が、第一筆記位置と第二筆記位置との間にある場合において、検出部２は、電子ペン６によって筆記された情報を検出しない。よって、情報入力装置１は、用紙５Ｐに筆記される電子ペン６の位置の誤検出を抑制できる。
【００３４】
以上、説明したように、ユーザは、取付部５０を、第一筆記位置と第二筆記位置との間で移動させることによって、ノート５の検出部２に対する相対位置を変位させることができる。従って、ユーザが右側の用紙５Ｐに情報を筆記する場合と、ユーザが左側の用紙５Ｐに情報を入力する場合との夫々に対応する二つの検出部２を、情報入力装置１は備える必要がない。従って、情報入力装置１は、検出部２の個数を低減できるので、低コスト化を実現できる。
【００３５】
また、検出部２の個数が低減することで、情報入力装置１は、小型化を実現できる。例えば、筐体４の軸線Ｑ側の端部に回転可能に連結する筐体を、第二板状部５２に代えて備えた情報入力装置が考えられる（図示略）。以下、筐体４に連結する上記筐体を「特定筐体」と称し、特定筐体を備えた情報入力装置を「特定情報入力装置」と称す。この場合、特定筐体は、筐体４と同様に、検出部２を収容する。特定筐体は、筐体４に対して前方から対向する第一特定位置と、筐体４の左方に配置される第二特定位置との間を回転可能となる。ノート５の表紙５Ｒは、第一板状部５１の収容部４１に収容され、ノート５の表紙５Ｌは、第二特定位置にある特定筐体の前面に配置される。しかしながら、この場合、検出部２を収容する特定筐体が設けられる分、特定情報入力装置は、大型化する。また、特定筐体が第一特定位置にある特定情報入力装置の前後方向の長さは、長くなる。以上より、第二板状部５２が第一位置にある情報入力装置１は、特定筐体が第一特定位置にある特定情報入力装置に比べて、前後方向において短くなるので、コンパクト化を達成できる。
【００３６】
第一摺動部５５と第二摺動部５６が、延設部７に対して摺動することによって、取付部５０は、第一筆記位置と第二筆記位置との間を移動可能である。これにより、情報入力装置１は、ノート５の検出部２に対する相対移動を安定化できる。よって、情報入力装置１は、ユーザがノート５に情報を入力する操作性を向上できる。
【００３７】
第一板状部５１と、第二位置にある第二板状部５２とは、夫々、前後方向と直交して延びる板状である。これにより、第一板状部５１と、第二位置にある第二板状部５２は、夫々、ノート５を安定して支持できる。よって、ユーザは、電子ペン６を用いてノート５に安定して筆記できる。
【００３８】
第二板状部５２は、第一位置と第二位置との間を回転可能であり、取付部５０は、第一筆記位置と第二筆記位置との間を移動可能である。ユーザは、情報入力装置１を使用しない場合、第二板状部５２を第一位置に位置させ、且つ、取付部５０を第一筆記位置に位置させる。これにより、未使用状態の情報入力装置１は、左右方向と前後方向の夫々の方向における長さを短くできる。よって、情報入力装置１は、コンパクト化を実現できる。また、ユーザは、情報入力装置１を使用する場合、第二板状部５２を第一位置から第二位置に回転させる。ノート５は、第一板状部５１と第二板状部５２とに載置される。ノート５が、第一板状部５１と第二板状部５２のいずれか一方にのみによって支持される場合に比べて、情報入力装置１は、ノート５を安定して支持できる。よって、情報入力装置１は、小型化を実現しつつ、ノート５の支持を安定化できる。
【００３９】
収容部４１，４２に収容されたノート５は、左右方向と上下方向の夫々の方向における変位を、規制される。即ち、収容部４１，４２は、夫々、取付部５０に取り付けられるノート５を位置決めする位置決め手段として機能する。ユーザが、取付部５０に取り付けられたノート５に、電子ペン６で筆記をする場合、ノート５は、上下方向と左右方向の夫々の方向に変位しにくい。よって、情報入力装置１は、ユーザがノート５に情報を入力する操作性を向上できる。また、収容部４１は、第一延設面５１Ｂに形成された凹部であり、収容部４２は、第二延設面５２Ｂに形成された凹部である。よって、情報入力装置１は、ノート５の位置決め手段の構成を、簡易化できる。
【００４０】
第一規制部８１は、取付部５０が第一筆記位置よりも第二筆記位置とは反対側へ移動するのを規制し、第二規制部８２は、取付部５０が第二筆記位置よりも第一筆記位置とは反対側へ移動するのを規制する。これにより、情報入力装置１は、取付部５０が筐体４から脱落するのを抑制できる。よって、情報入力装置１は、検出部２に対するノート５の相対移動を、安定化できる。
【００４１】
第一実施形態において、ノート５は、本発明の「記録媒体」の一例である。電子ペン６は、本発明の「筆記具」の一例である。第一支持面５１Ａは、本発明の「第一所定面」の一例である。第二支持面５２Ａは、本発明の「第二所定面」の一例である。検出部２は、本発明の「検出手段」の一例である。収容部４１，４２は、本発明の「凹部」の一例である。第一方向は、本発明の「前方向」の一例である。所定方向は、本発明の「左右方向」の一例である。
【００４２】
尚、本発明は、上記実施形態に限定に限定されず、種々の変更が可能である。延設部７は、第一面４Ａに設けられた突部である代わりに、第一面４Ａから後方に凹む溝部であってもよい。この場合、第一摺動部５５は、第一延設面５１Ｂに設けられた溝部である代わりに、第一延設面５１Ｂから後方に突出する突部となり、第二延設面５２Ｂは、第二延設面５２Ｂに設けられた溝部である代わりに、開方向に突出する突部となる。
【００４３】
図７を参照し、本発明の第二実施形態である情報入力装置１０１を説明する。尚、情報入力装置１と同一の構成については、同一の符号を付して説明を省略する。情報入力装置１０１は、取付部５０に代えて、取付部１５０を備える。取付部１５０は、第一板状部１５１、二つのレール部１６０を備える。第一板状部１５１は、第一支持面１５１Ａを備える。第一支持面１５１Ａは、前方を向く平面である。第一板状部１５１は、第一板状部５１と同様、第一摺動部５５（図３参照）が設けられた第一延設面５１Ｂ（図３参照）を備える。従って、第一板状部１５１は、筐体４に対して左右方向に相対移動可能である。
【００４４】
二つのレール部１６０は、上下方向に間隔を空けて、第一支持面１５１Ａに設けられる。各レール部１６０は、第一レール部１６１、及び第二レール部１６２を備える。第一レール部１６１は、第一支持面１５１Ａに固定される。第一レール部１６１の形状は、前方と左方の夫々の方向に開口する箱状であり、且つ左右方向に延びる。第一レール部１６１の前端面は、ノート５の表紙５Ｒが着脱可能な第一取付面１６１Ａである。表紙５Ｒは、例えばクリップ等の取り付け部材（図示略）を介して、第一取付面１６１Ａに取り付けられる。第一レール部１６１の内側の左端部には、前後方向に沿う軸部１６１Ｂが設けられる。
【００４５】
第二レール部１６２は、第一レール部１６１の内側に収容可能な、直線状に延びる部材である。第二レール部１６２の一端部は、軸部１６１Ｂに回転可能に設けられる。これにより、第二レール部１６２は、対向位置（図示略）と作動位置（図７）との間を回転可能である。対向位置は、第一レール部１６１の内側に収容される第二レール部１６２の回転位置である。対向位置にある第二レール部１６２は、第一レール部１６１の後部に対して前方から対向する。作動位置は、第一レール部１６１の左方で左右方向に延びる第二レール部１６２の回転位置である。
【００４６】
以下、作動位置から対向位置に向かう方向を、「第一閉方向」と称し、対向位置から作動位置に向かう方向を「第一開方向」と称す。第一閉方向は、矢印Ｕ１が向く方向であり、第一開方向は、矢印Ｕ２が向く方向である。第一開方向と第一閉方向は、いずれも、第一支持面１５１Ａが向く方向と交差する。
【００４７】
第二レール部１６２の第一閉方向の端面は、第二取付面１６２Ａである。第二取付面１６２Ａには、ノート５の表紙５Ｌが着脱可能である。表紙５Ｌは、例えばクリップ等の取付部材（図示略）を介して、第二取付面１６２Ａに取り付けられる。
【００４８】
取付部１５０は、第一筆記位置（図７参照）と、第二筆記位置（図示略）との間を、筐体４に対して相対移動可能である。情報入力装置１０１では、第一筆記位置は、第一レール部１６１が、左右方向に亘って、筐体４の前方にある取付部１５０の左右方向位置である。情報入力装置１０１では、第二筆記位置は、第二レール部１６２が、左右方向に亘って、筐体４の前方にある取付部１５０の左右方向位置である。
【００４９】
情報入力装置１０１が未使用の状態にある場合において、第二レール部１６２は対向位置にあり、取付部１５０は第一筆記位置にある。ユーザは、情報入力装置１０１を使用する場合、第二レール部１６２を対向位置から作動位置に回転させ、第一取付面１６１Ａに表紙５Ｒを取り付け、第二取付面１６２Ａに表紙５Ｌを取り付ける。第二実施形態では、第一取付面１６１Ａに対して最前位の用紙５Ｐを、「右側の用紙５Ｐ」と称し、第二取付面１６２Ａに対して最前位の用紙５Ｐを、「右側の用紙５Ｐ」と称す。
【００５０】
ユーザは、取付部１５０を第一筆記位置に位置させた状態で、右側の用紙５Ｐに電子ペン６を用いて情報を記入する。その後、ユーザは、取付部１５０を第一筆記位置から第二筆記位置に移動させて、左側の用紙５Ｐに電子ペン６を用いて情報を記入する。よって、筐体４に収容される一つの検出部２（図３参照）によって、右側の用紙５Ｐに記入される情報と、左側の用紙５Ｐに記入される情報とが、情報入力装置１０１に入力される。
【００５１】
未使用状態の情報入力装置１０１は、第二レール部１６２が対向位置にあるので、情報入力装置１０１の左右方向の長さは、短くなる。よって、情報入力装置１０１は、コンパクト化を達成できる。情報入力装置１０１では、第一レール部１６１と第二レール部１６２が、夫々、表紙５Ｒ，５Ｌを支持する。これにより、ノート５は、安定して支持される。よって、情報入力装置１０１は、未使用状態においてはコンパクト化を実現しつつ、使用状態ではノート５を安定して支持できる。第二実施形態において、第一レール部１６１は、本発明の「第一取付部」の一例である。第二レール部１６２は、本発明の「第二取付部」の一例である。
【００５２】
図８〜図１０を参照し、本発明の第三実施形態である情報入力装置２０１を説明する。なお、情報入力装置１と同一の構成については、同一の符号を付して説明を省略する。情報入力装置２０１は、二つの固定レール２０５、及び可動レール２０７を備える。二つの固定レール２０５は、左右方向に延び、筐体４の第一面４Ａに固定される。二つの固定レール２０５は、上下方向に間隔を空けて並ぶ。
【００５３】
可動レール２０７は、上下方向に延びる。可動レール２０７は、二つの固定レール２０５に対して左右方向に移動可能である。より詳細には、可動レール２０７の上端部は、上側にある固定レール２０５に左右方向に移動可能に連結し、可動レール２０７の下端部は、下側にある固定レール２０５に、左右方向に移動可能に連結する。可動レール２０７には、ノート５の表紙５Ｒ，５Ｌの境界部（以下、「背表紙」と称す）が、着脱可能である。ノート５の背表紙は、例えばクリップ等の取り付け部材（図示略）を介して、可動レール２０７に取り付けられる。
【００５４】
可動レール２０７は、第一筆記位置（図９参照）と第二筆記位置（図１０参照）との間を左右方向に移動可能である。図９に示すように、第一筆記位置は、二つの固定レール２０５の夫々の左端部と接触する可動レール２０７の左右方向位置である。可動レール２０７が、第一筆記位置にある場合、可動レール２０７に取り付けられたノート５の表紙５Ｒは、筐体４の第一面４Ａに前方から対向する。図１０に示すように、第二筆記位置は、二つの固定レール２０５の夫々の右端部と接触する可動レール２０７の左右方向位置である。可動レール２０７が、第二筆記位置にある場合、可動レール２０７に取り付けられたノート５の表紙５Ｌは、筐体４の第一面４Ａに前方から対向する。
【００５５】
図９、図１０に示される情報入力装置２０１では、ユーザは、背表紙を可動レール２０７に装着させた後、可動レール２０７を左右方向に移動させる。これにより、ノート５は、筐体４に収容される検出部２（図３参照）に対して、相対移動できる。ユーザは、ノート５の右側の用紙５Ｐに電子ペン６で筆記する場合には、可動レール２０７を第一筆記位置に移動させる。また、ユーザは、ノート５の左側の用紙５Ｐに電子ペン６で筆記する場合には、可動レール２０７を第一筆記位置に移動させる。検出部２が、用紙５Ｐに筆記される電子ペン６の近接位置を検出することで、用紙５Ｐに記入された情報は、情報入力装置２０１に入力される。
【００５６】
第三実施形態において、可動レール２０７は、本発明の「取付部」の一例である。固定レール２０５は、本発明の「固定レール」の一例である。第三実施形態は、種々の変更が可能である。可動レール２０７は、固定レール２０５に対して着脱可能であってもよい。この場合、可動レール２０７は、ノート５の表紙部に固定される。ユーザは、可動レール２０７を二つの固定レール２０５に装着した後、可動レール２０７を第一筆記位置と第二筆記位置との間で移動させる。
【００５７】
図１１、図１２を参照し、本発明の第四実施形態である情報入力装置３０１を説明する。以下の説明では、図１１、図１２で示される、前方、後方、上方、下方、左方、及び右方は、いずれも、情報入力装置３０１の姿勢に関わらず、一定の方向であるものとする。情報入力装置３０１は、情報入力装置１の筐体４に代えて、筐体３０４を備える。筐体３０４は、左右方向と上下方向に延びる箱状体である。筐体３０４の上下方向における長さは、表紙５Ｌ，Ｒのそれぞれの左右方向における長さよりも、短い。
【００５８】
筐体３０４は、第一面３０４Ａ、第二面３０４Ｂ、及び第三面３０４Ｃを備える。第一面３０４Ａは、前後方向の一方向を向く平面である。第二面３０４Ｂは、前後方向の他方向を向く平面である。第三面３０４Ｃは、左右方向のいずれかの方向を向く平面である。第三面３０４Ｃは、第一面３０４Ａと第二面３０４Ｂとに接続する。
【００５９】
筐体３０４は、上下反転することによって、第一姿勢（図１１参照）と第二姿勢（図１２参照）とに切り替わる。筐体３０４が、第一姿勢にある場合、第一面３０４Ａ、第二面３０４Ｂ、及び第三面３０４Ｃは、夫々、前方、後方、及び左方を向く（図１１参照）。一方、筐体３０４が、第二姿勢にある場合、第一面３０４Ａ、第二面３０４Ｂ、及び第三面３０４Ｃは、夫々、後方、前方、及び右方を向く（図１２参照）。
【００６０】
筐体３０４の内部には、検出部３０２が収容される。検出部３０２は、第一面３０４Ａと第二面３０４Ｂとの間に位置する。検出部３０２は、第一面３０４Ａ又は第二面３０４Ｂに近接する電子ペン６の位置を検出可能である。
【００６１】
第一面３０４Ａの第三面３０４Ｃ側の端部には、装着部３０５が設けられる。装着部３０５は、第一面３０４Ａに沿って、上下方向に延びる柱状体である。装着部３０５には、ノート５の背表紙が取り付けられる。ノート５の背表紙が装着部３０５に取り付けられた場合、ユーザは、表紙５Ｒを第一面３０４Ａに対向させ、表紙５Ｌを第二面３０４Ｂと第三面３０４Ｃのそれぞれに対向させる。この場合、表紙５Ｌは、平面状に延びる一方、表紙５Ｒは、第二面３０４Ｂと第三面３０４Ｃとが互いに接続する位置を経由して湾曲して延びる。ノート５が、装着部３０５に取り付けられた場合において、複数枚の用紙５Ｐのうち一部は、表紙５Ｒと重なる位置に配置され、複数枚の用紙５Ｐの残りは、表紙５Ｌと重なる位置に配置される。
【００６２】
情報入力装置３０１を使用するユーザは、筐体３０４を第一姿勢と第二姿勢のいずれかの姿勢に変位させる。例えば、ユーザは、筐体３０４を第一姿勢にして（図１１参照）、第一面３０４Ａに対して最前位にある用紙５Ｐに電子ペン６で情報を記入する。この場合、検出部３０２が、電子ペン６の位置を検出することによって、用紙５Ｐに筆記された情報が情報入力装置３０１に入力される。
【００６３】
また、ユーザは、筐体３０４を第二姿勢にして（図１１参照）、第二面３０４Ｂに対して最前位にある用紙５Ｐに電子ペン６で情報を記入する。この場合、検出部３０２が、電子ペン６の位置を検出することによって、用紙５Ｐに筆記された情報が情報入力装置３０１に入力される。
【００６４】
尚、ユーザは、ノート５が装着部３０５に取り付けられた状態で、複数枚の用紙５Ｐをめくることができる。この場合、用紙５Ｐは、装着部３０５を中心に回転する。換言すると、用紙５Ｐは、第一面３０４Ａが向く方向と交差する方向に、筐体３０４に対して相対変位してめくられる。これにより、ユーザは、複数枚の用紙５Ｐに順次、筆記できる。
【００６５】
情報入力装置３０１では、ユーザは、ノート５全体を、筐体４に対して相対変位させることなく、複数枚の用紙５Ｐに順次記入することができる。よって、情報入力装置３０１は、ユーザがノート５に情報を記入する操作性を向上できる。第四実施形態において、検出部３０２は、本発明の「検出手段」の一例である。装着部３０５は、本発明の「記録媒体取付部」の一例である。下方向は、本発明の「第二方向」の一例である。
【符号の説明】
【００６６】
１，１０１，２０１，３０１      情報入力装置
２，３０２        検出部
４，３０４        筐体
４Ａ，３０４Ａ    第一面
５                ノート
５Ｌ，５Ｒ        表紙
７                延設部
４１，４２        収容部
５０，１５０      取付部
５１              第一板状部
５１Ｂ            第一延設面
５２              第二板状部
５２Ａ            第二支持面
５５              第一摺動部
５６              第二摺動部
８１              第一規制部
８２              第二規制部
１６１            第一レール部
１６１Ａ          第一取付面
１６２            第二レール部
１６２Ａ          第二取付面
３０４Ｂ          第二面
３０５            装着部
【図１】
2017142703.tif 000003
【図２】
2017142703.tif 000004
【図３】
2017142703.tif 000005
【図４】
2017142703.tif 000006
【図５】
2017142703.tif 000007
【図６】
2017142703.tif 000008
【図７】
2017142703.tif 000009
【図８】
2017142703.tif 000010
【図９】
2017142703.tif 000011
【図１０】
2017142703.tif 000012
【図１１】
2017142703.tif 000013
【図１２】
2017142703.tif 000014